(57)【要約】      （修正有）【課題】タイルとこれを固定するマット基材からなるタイルマットにおいて、タイルをマット基材上に着脱可能に接合固定することで、タイルの組み合わせ等を変更可能とするタイルマットを提供する。【解決手段】マット基材としての樹脂マット３０と、その上面上に固定されるタイル２０からなるタイルマット１０において、タイルの下面の所定個所に嵌合突部２２を突設するとともに、樹脂マット上の所定個所に嵌合穴３５を形成する。各嵌合突部は、樹脂マットに形成した嵌合穴に嵌挿されるとともに、その先端側に設けた係止爪が該嵌合穴の周縁部分に係止されることにより抜け止め状態とされる。タイルは、樹脂マット上に所定の配列状態で着脱可能に嵌合固定される。【選択図】図１
0003166857.tif 000002
【実用新案登録請求の範囲】
【請求項１】
タイルと、このタイルを固定するためのマット基材からなるタイルマットにおいて、
前記タイルの下面には、該タイルを前記マット基材上に着脱自在に嵌合保持させるための弾性変形可能な嵌合突部が複数個所に設けられ、
これらの嵌合突部は、前記マット基材に形成した嵌合穴に嵌挿されるとともに、その外側の少なくとも一部に設けた係止部が該嵌合穴の一部に係止されることにより抜け止め状態とされ、
前記タイルは、前記マット基材上に着脱可能に嵌合固定されるように構成されていることを特徴とするタイルマット。
【請求項２】
請求項１記載のタイルマットにおいて、
前記嵌合突部は、前記嵌合穴に嵌挿される外側筒状部分を持ち、その外側の少なくとも一部が前記嵌合穴の一部に係止される係止部とされていることを特徴とするタイルマット。
【請求項３】
請求項１記載のタイルマットにおいて、
前記嵌合突部は、先端側に係止爪を有し、この係止爪が前記嵌合穴の周縁部分に係止されるように構成されていることを特徴とするタイルマット。
【請求項４】
請求項３記載のタイルマットにおいて、
前記嵌合突部は、周方向に所定間隔をおいて突設された複数の弾性係合片からなり、
これらの弾性係合片の先端側には係止爪が外向きに突設され、前記マット基材の嵌合穴に嵌挿されることにより、係止爪が嵌合穴の周縁部分に係止されるように構成されていることを特徴とするタイルマット。
【請求項５】
請求項３または請求項４記載のタイルマットにおいて、
前記嵌合突部を構成する複数の弾性係合片は、薄肉円筒体の周方向に複数のすり割り溝を所定間隔をおいて形成することで分割された形状をもち、それぞれの外径方向の外側に外向きに突出する係止爪が設けられていることを特徴とするタイルマット。
【請求項６】
請求項１ないし請求項５のいずれか１項に記載のタイルマットにおいて、
前記嵌合突部は、前記係止部を有する外側部分とは独立して、基端部内側から先端側に向かって延設された内側筒状部を有することを特徴とするタイルマット。
【請求項７】
請求項１ないし請求項６のいずれか１項に記載のタイルマットにおいて、
前記マット基材は、樹脂マットであり、
この樹脂マットの上面には、前記タイル下面に突設された嵌合突部を着脱自在に嵌合保持するための嵌合穴が貫通して形成されていることを特徴とするタイルマット。
【請求項８】
請求項７記載のタイルマットにおいて、
前記樹脂マットは、その上面に一枚のタイルまたは複数枚のタイルを所定の配列状態に並べて接合できる大きさで形成されていることを特徴とするタイルマット。
【考案の詳細な説明】
【技術分野】
【０００１】
本考案は、建築材料、特に建築物における床または壁面、あるいはバルコニーやベランダ等に敷設される建材マットとしてのタイルマットに関し、特にタイルを固定するための樹脂マット等のマット基材、及びこのマット基材の表面に建材としてのタイルを敷設することによって構成されるタイルマットに関する。
【背景技術】
【０００２】
従来、建材としてのタイルは、下地材上に所定の配列状態で並べてモルタル、接着剤等で下地材に固着した構造となっており、施工が面倒かつ煩雑で、しかも作業に熟練を要し、工期も長くなる等の問題があった。
【０００３】
このため、近年では、上述したような作業性などの問題点を一掃するために、樹脂マット上に複数枚のタイルを所要の配列状態に並べて配置させ、それぞれを接着剤で接合固定してなるタイルマットが用いられるようになってきている（例えば、特許文献１，２等参照）。
【０００４】
すなわち、従来この種のタイルマットにおいて、特許文献１のタイルマットでは、樹脂マット上の所定個所に接着剤を充填させるための凹部を設け、該凹部内に接着剤を充填し、タイル裏面との間を接合することで、タイルを樹脂マットに固定している。
【０００５】
また、特許文献２のタイルマットでは、樹脂マット上に貫通孔を設けることにより、接着剤をタイル裏面と樹脂マットとの間に充填してこれらを接合固定している。
【先行技術文献】
【特許文献】
【０００６】
【特許文献１】特許第２７８３１２７号公報
【特許文献２】特許第３６５４２８９号公報
【考案の概要】
【考案が解決しようとする課題】
【０００７】
しかし、上述した従来のタイルマットでは、基材である樹脂マット上にタイルが接着剤で接合され、完全に固定されていることから、一度固定したらタイルの組み合わせを変えることができないという問題があった。
【０００８】
すなわち、この種のタイルマットは、基材としの樹脂マット上に複数枚のタイルを所要の配列状態で並べて設けることにより、このタイルマットをその施工場所に敷き詰めればよいことから施工が簡便であり、施工性に優れているとして、バルコニーやベランダ等に多用されつつある。
【０００９】
特に、この種のタイルマットは、通常、タイルの剥がれ等を防ぐために、タイルを接着剤で樹脂マットに強固に接着固定しているものである。
その一方において、この種のタイルマットには、施工場所に一旦敷き詰めた後、タイルの組み合わせを変えたり、材質、模様などの異なるタイルに変更したりし、建材としての多様化を図ること等も望まれているものであって、このような相反する要求に応えることができることが要望されている。
【００１０】
本考案はこのような事情に鑑みてなされたものであり、タイルとこれを固定するためのマット基材を組み合わせて固定してなるタイルマットにおいて、タイルをマット基材上に着脱可能に嵌合固定することにより、タイルの組み合わせ等を変更可能とするタイルマットを得ることを目的とする。
【課題を解決するための手段】
【００１１】
このような目的に応えるために本考案（請求項１記載の考案）に係るタイルマットは、タイルと、このタイルを固定するためのマット基材からなるタイルマットにおいて、前記タイルの下面には、該タイルを前記マット基材上に着脱自在に嵌合保持させるための弾性変形可能な嵌合突部が複数個所に設けられ、これらの嵌合突部は、前記マット基材に形成した嵌合穴に嵌挿されるとともに、その外側の少なくとも一部に設けた係止部が該嵌合穴の一部に係止されることにより抜け止め状態とされ、前記タイルは、前記マット基材上に着脱可能に嵌合固定されるように構成されていることを特徴とする。
【００１２】
本考案（請求項２記載の考案）に係るタイルマットは、請求項１記載のタイルマットにおいて、前記嵌合突部は、前記嵌合穴に嵌挿される外側筒状部分を持ち、その外側の少なくとも一部が前記嵌合穴の一部に係止される係止部とされていることを特徴とする。
【００１３】
本考案（請求項３記載の考案）に係るタイルマットは、請求項１記載のタイルマットにおいて、前記嵌合突部は、先端側に係止爪を有し、この係止爪が前記嵌合穴の周縁部分に係止されるように構成されていることを特徴とする。
【００１４】
本考案（請求項４記載の考案）に係るタイルマットは、請求項３記載のタイルマットにおいて、前記嵌合突部は、周方向に所定間隔をおいて突設された複数の弾性係合片からなり、これらの弾性係合片の先端側には係止爪が外向きに突設され、前記マット基材の嵌合穴に嵌挿されることにより、係止爪が嵌合穴の周縁部分に係止されるように構成されていることを特徴とする。
【００１５】
本考案（請求項５記載の考案）に係るタイルマットは、請求項３または請求項４記載のタイルマットにおいて、前記嵌合突部を構成する複数の弾性係合片は、薄肉円筒体の周方向に複数のすり割り溝を所定間隔をおいて形成することで分割された形状をもち、それぞれの外径方向の外側に外向きに突出する係止爪が設けられていることを特徴とする。
【００１６】
本考案（請求項６記載の考案）に係るタイルマットは、請求項１ないし請求項５のいずれか１項に記載のタイルマットにおいて、前記嵌合突部は、前記係止部を有する外側部分とは独立して、基端部内側から先端側に向かって延設された内側筒状部を有することを特徴とする。
【００１７】
本考案（請求項７記載の考案）に係るタイルマットは、請求項１ないし請求項６のいずれか１項に記載のタイルマットにおいて、前記マット基材は、樹脂マットであり、この樹脂マットの上面には、前記タイル下面に突設された嵌合突部を着脱自在に嵌合保持するための嵌合穴が貫通して形成されていることを特徴とする。
【００１８】
本考案（請求項８記載の考案）に係るタイルマットは、請求項７記載のタイルマットにおいて、前記樹脂マットは、その上面に一枚のタイルまたは複数枚のタイルを所定の配列状態に並べて接合できる大きさで形成されていることを特徴とする。
【考案の効果】
【００１９】
以上説明したように本考案に係るタイルマットによれば、タイルの下面に複数の嵌合突部を設け、これらの嵌合突部を弾性変形させ、樹脂マット等のマット基材に設けた嵌合穴に着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができる。
【００２０】
特に、本考案によれば、タイルの下面に複数の弾性係止片による嵌合突部を設け、各弾性係止片がもつ弾力を利用して嵌合突部を求心方向に弾性変形させることで、マット基材に設けた嵌合穴に着脱自在に嵌合保持させて係止固定することが可能であり、これにより上述した作用効果をより一層発揮させることができる。
【００２１】
さらに、本考案によれば、従来のような接着剤による接着固定が不要となるため、タイルをマット基材に装着する際の装着時の作業性に優れ、作業時間の大幅な短縮化を図ることができる。
【図面の簡単な説明】
【００２２】
【図１】本考案に係るタイルマットの一実施形態を示し、全体の概略構成を示す分解斜視図である。
【図２】図１のタイルマットを示す概略斜視図である。
【図３】本考案を特徴づけるタイルとマット基材としての樹脂マットとの着脱可能な嵌合構造を説明するための概略分解斜視図である。
【図４】（ａ），（ｂ），（ｃ）は図３の嵌合構造を説明するための断面図である。
【図５】本考案を特徴づけるタイル裏面に設けられる嵌合突部の変形例を示す概略斜視図である。
【図６】本考案を特徴づけるタイル裏面に設けられる嵌合突部のさらに別の変形例を示す概略斜視図である。
【図７】本考案を特徴づけるタイル裏面に設けられる嵌合突部の他の変形例を示す概略斜視図である。
【図８】本考案に係るタイルマットの別の実施形態を示し、一つのタイルとこれに対応するマット基材である樹脂マットによるタイルマットを示す分解斜視図である。
【図９】本考案に係るタイルマットの他の実施形態を示し、タイルと樹脂マットとの関係を適宜設定した例を説明するための概略説明図である。
【考案を実施するための形態】
【００２３】
図１ないし図４は本考案に係るタイルマットの一実施形態を示すものであり、これらの図において、この実施形態では、タイルマット１０として、図１および図２に示すように、９枚のタイル２０を、マット基材としての正方形状の樹脂マット３０上に３×３の配列状態に並べて設けた場合を説明する。
【００２４】
これを簡単に説明すると、符号１０は、建材マットとして、例えば床面、壁面、あるいはバルコニーやベランダ等に敷き詰められることで、該施工場所を体裁のよいタイル模様の化粧を施すことができるタイルマットであり、９枚のタイル２０とこれを所要の配列状態で並べる樹脂マット３０とによって構成されている。
【００２５】
ここで、上述したタイル２０は、例えば９．５ｃｍ角の正方形状に形成された板材であって、適宜の材質で形成され、その表面には、適宜の色彩、その他模様などが必要に応じて付されている。
【００２６】
前記樹脂マット３０は、上述したタイル２０を所定間隔をおいて３×３の配列で敷設できる大きさ、例えば３０ｃｍ角の正方形状の板材であって、この実施形態では、３×３の計９個所にタイル接合部を有している。
【００２７】
なお、図中３１は連結腕、３２は該連結腕３１が係合する連結凹部であり、それぞれが樹脂マット３０の各々二辺づつの側面部に突設または凹設されている。これらの連結腕３１を隣接する樹脂マット３０の連結凹部３２に順次連結させることにより、複数枚の樹脂マット３０を順次連結して敷設することができる。
また、図中３３は樹脂マット３０の下面に突設された脚部、３１ａは連結腕３１の下面に突設された脚部である。
【００２８】
前記タイルマット１０において、タイル２０を樹脂マット３０上に接合固定する固定部として、図１、図３、図４に示すように、４隅に嵌合穴３５を貫通して設けるとともに、タイル２０の下面の対応する位置に、該嵌合穴３５に嵌合させることにより着脱自在に嵌合保持されて固定される嵌合突部２２を設けている。
【００２９】
前記各嵌合突部２２は、樹脂マット３０に形成した嵌合穴３５に嵌挿されるとともに、その先端側に設けた係止爪２３ａが該嵌合穴３５の周縁部分に係止されることにより抜け止め状態とされるように構成されている。すなわち、これらの嵌合突部２２は、周方向に所定間隔をおいて突設された複数の弾性係合片２３からなり、これらの弾性係合片２３の先端側には係止爪２３ａが外向きに突設され、前記樹脂マット３０の嵌合穴３５に嵌挿されることにより、係止爪２３ａが嵌合穴３５の周縁部分に係止されるように構成されている。
【００３０】
これにより、タイル２０は、嵌合突部２２の嵌合穴３５への嵌合保持により、着脱自在に保持されることになり、これにより着脱可能に嵌合固定されるようになっている。
ここで、このような嵌合穴３５に対しての嵌合突部２２の嵌合固定を図４（ａ），（ｂ），（ｃ）に示す。
【００３１】
また、上述した嵌合突部２２を構成する弾性係止片２３の形状を図３等により簡単に説明すると、これらの弾性係止片２３は、例えば薄肉円筒体の周方向に複数のすり割り溝２４を所定間隔をおいて形成することで分割された形状をもち、それぞれの外径方向の外側に外向きに突出する係止爪２３ａが設けられている。
【００３２】
そして、以上の構成によれば、マット基材としての樹脂マット３０上の各接合部に対し、タイル２０を順次積み重ね、その嵌合突部２２を嵌合穴３５に嵌合させることにより、タイル２０を樹脂マット３０に着脱自在に嵌合保持させ、所要の配列状態に並べて接合固定できるようになっている。
【００３３】
すなわち、嵌合突部２２を嵌合穴３５に嵌合させることで、各弾性係止片２３の求心方向への弾性変形により、該嵌合突部２２を嵌合穴３５内に嵌挿させることにより、各弾性係止片２３が外径方向に弾性変形して拡がり、これにより係止爪２３ａを嵌合穴３５の裏面側の周縁部分に係止させることができる。
【００３４】
また、この状態から各弾性係止片２３を弾性変形させ、これにより係止爪２３ａによる係止状態を解除し、嵌合突部２２全体を嵌合穴３０から引き抜くことにより、タイル２０を強制的に剥がして、取り外すことができる。
【００３５】
したがって、このような嵌合構造による樹脂マット３０とタイル２０とによるタイルマット１０によれば、該タイルマット１０を敷設する建築物の床面あるいは壁面等といった施工場所に樹脂マット３０を順次敷設し、接着剤その他の固定手段で固定した後、タイル２０を順次樹脂マット３０の各接合部に組み付けて嵌合させることにより、タイル２０を樹脂マット３０に組み付け固定することができる。
【００３６】
また、このようなタイルマット１０によれば、タイル２０を引きはがして嵌合状態を外すことにより、タイル２０を簡単に取り外すことが可能であり、模様替えを行ったりする際に便利である等といった利点がある。
【００３７】
ここで、上述した実施形態では、嵌合突部２２として、図３から明らかなように、薄肉円筒体の周方向に複数のすり割り溝２４を所定間隔をおいて形成することで分割された形状をもち、それぞれの外径方向の外側に外向きに突出する係止爪２３ａを設けた構造のものを用いた場合を説明したが、本考案はこれに限定されず、種々の変形例が考えられるものであり、例えば図５ないし図７に示すような変形例が考えられる。
【００３８】
図５は本考案に係るタイルマット１０において、タイル２０の裏面に設ける嵌合突部２２の変形例を示す。
この例では、嵌合突部２２の内側部分で該突部の基端部２２ａから先端側に向かって内側筒状部２８を延設した形状とした場合である。この内側筒状部２８は、前記複数の弾性係止片２３とは独立して形成されている。
【００３９】
このような内側筒状部２８を形成すると、嵌合突部２２全体の強度を確保し、嵌合突部２２としての形状を維持し得るとともに、外側部分の弾性係止片２３部分の弾性変形は所要の状態で確保でき、嵌合突部２２としての機能を発揮させ得るものである。
【００４０】
図６は上述した嵌合突部２２のさらに別の変形例を示す。
この例では、嵌合突部２２は基端部２２ａから先端側に延設された筒状部２６を有し、この筒状部２６の先端側外周に係止爪２７ａを設けた場合である。
このような構造の嵌合突部２２は、成形材料にある程度弾力性を有する材料を用い、弾性変形量を確保できるように形成することが必要であるが、嵌合穴３５に嵌挿することで、先端側の係止爪２６ａを樹脂マット３０の下面側で嵌合穴３５の周縁部分に係止させて保持固定することができるものである。
【００４１】
図７は上述した嵌合突部２２の他の変形例を示す。
この例では、ほぼくの字状を呈するように軸線方向の中央部分が外側に膨出して形成された筒状部２７を設けた場合である。
このような構造の嵌合突部２２であっても、弾力性に富む材料で形成しておけば、嵌合穴３５への嵌挿時に嵌挿し、しかもその嵌挿状態で嵌合穴３５の一部、ここでは穴の内壁に弾撥力を持って係止され、これにより係止保持されることは容易に理解されよう。
【００４２】
要は、嵌合突部２２の外側の少なくとも一部に設けた係止部を嵌合穴３５の一部に係止させることにより、抜け止め状態とされるような構造をもつものであればよいもので、種々の変形例が考えられる。
【００４３】
なお、本考案は上述した実施の形態で説明した構造には限定されず、各部の形状、構造等を適宜変形、変更し得ることはいうまでもない。
【００４４】
例えば、上述した実施形態では、９枚のタイル２０を樹脂マット３０に３×３の配列で並べて設けた場合を説明したが、本考案はこれに限定されず、例えば図８に示すように、１枚のタイル２０を接合する接合部をもつ樹脂マット３０であってもよい。
ここで、図５中３９は穴であり、樹脂マット３０の成形時において成形性の向上や樹脂材料の削減等を図るためのものである。
【００４５】
さらに、タイル２０の配列としては、３枚、４枚の構成によるものは勿論、８枚、１２枚、３６枚等の構成によるものであってもよいことも言うまでもない。
また、タイル２０の大きさや樹脂マット３０の大きさなどとしても、種々の変形例が考えられる。
【００４６】
例えば図９（ａ）は、タイル２０の大きさを大きくし、同程度の大きさをもつ樹脂マット３０に重ね合わせた例を、同図（ｂ）は４枚のタイル２０を樹脂マット３０上に並べた状態を、同図（ｃ）は、縦長なタイル２０を樹脂マット３０上に並べた状態を、同図（ｄ）は縦長の樹脂マット３０上にタイル２０を重ね合わせた状態を示す。
【００４７】
要は、樹脂マット３０は、その上面に一枚のタイル２０または複数枚のタイル２０が所定の配列状態に並べて接合できる大きさで形成されておればよい。このようにすれば、タイルマット１０として多様な形状と大きさをもつものを得ることができるものであり、施工場所に応じて適宜選択すればよい。
【００４８】
さらに、上述したタイル２０としては、例えば木材のもの、セラミック製のもの、天然石のもの、さらにコンクリート材等といったその他の材質でできたもの等、適宜のものを提供できるものである。
【００４９】
また、このような適宜の材料で形成されるタイル２０に対しての嵌合突部２２の固定構造としても、従来から種々知られている固定手法を適宜採用すればよいことは言うまでもない。
、要は、タイル２０の裏面の所定個所に、嵌合突部２１を、例えば接着、ねじ止め、その他適宜の固定手段を用いて固着して設けるとよいものである。
【００５０】
さらに、上述した実施形態では、上記した樹脂マット３０を、耐久性や耐候性に優れた樹脂であって、こうしたタイルマットの樹脂マット３０として一般的な樹脂材料、例えば、ＰＥ（ポリエチレン）やＥＶＡ（エチレン-酢酸ビニル共重合樹脂）から型成型したものを用いるとよい。勿論、これに限定されないことも言うまでもない。
【００５１】
樹脂マット３０の接合部に設ける嵌合穴３５としても、タイル２０の四隅に位置する４個の嵌合穴に限らず、１個、あるいは２個以上の嵌合穴３５を設けることは自由である。
【００５２】
さらに、上述した実施形態では、タイル２０を固定するマット基材として樹脂マット３０を用いた場合を例示したが、本考案はこれに限定されず、たとえばマット基材としては樹脂マット３０に限らず、適宜の取付け板材であってもよく、必要に応じて用いられるマット基材であればよい。
【００５３】
また、本発明を特徴づける嵌合突部２２の形状等にしても、上述した実施形態で説明したものとは異なる形状、構造をもつ係止構造を採用することは自由である。
【符号の説明】
【００５４】
１０    タイルマット（建材マット）
２０    タイル
２２    嵌合突部
２３    弾性係止片
２３ａ  係止爪（係止部）
２６，２７  筒状部（外側筒状部）
２６ａ，２７ａ  係止爪（係止部）
２８    内側筒状部
２４    すり割り溝
３０    マット基材としての樹脂マット
３１    連結腕
３１ａ  脚部
３２    連結凹部
３３    脚部
３５    嵌合穴
【図１】
0003166857.tif 000003
【図２】
0003166857.tif 000004
【図３】
0003166857.tif 000005
【図４】
0003166857.tif 000006
【図５】
0003166857.tif 000007
【図６】
0003166857.tif 000008
【図７】
0003166857.tif 000009
【図８】
0003166857.tif 000010
【図９】
0003166857.tif 000011